(57)【要約】      （修正有）【課題】自然植物では存在し難い人工植物の広葉、針葉、花、花弁、キノコ、大根、茄子、トマト、バナナ等の混成組合せ構成による立体造花を創り出すこと。【解決手段】１、人工植物で例えば広葉、針葉、花、花弁、キノコの各々を相互に葉の表面又は、針葉、花、花弁自体とキノコの傘及び柄に対して直角から或る角度内に傾斜させて設置又は挿通させてなる混成立体造花である。２、各々の人工植物の広葉に対して花弁を葉身内に平面並行に埋め込み又は上下方向の或る角度に設置してなる混成立体造花である。３、人工植物の花又は花弁の先端に広葉を継ぎ足し設置してなる混成立体造花である。４、人工植物の大根に茄子を、又トマトにバナナ等を各々設置又は挿通してなる混成立体造花である。【選択図】  なし【特許請求の範囲】
【請求項１】
人工植物の広葉（１）を広葉（１）の表面から裏面に向っていずれかの広葉（１）の面に相対して１２０度以内に設置又は挿通し葉軸（９）に対しても左右方向に９０度迄の範囲で傾斜挿通させると共に、いずれかの広葉（１）の先端に人工植物の花（３）を設置させてなる混成立体造花。（図１）（図４）
【請求項２】
人工植物の広葉（１）の面に花（３）を葉軸（９）に対して左右方向に９０度迄の範囲で傾斜挿通させる。（図５）又、人工植物の花（３）に人工植物の広葉（１）を花（３）の中心線に対して左右方向に９０度迄の範囲で傾斜挿通させた混成立体造花。（図１２）
【請求項３】
人工植物の広葉（１）の平面に人工植物の花弁（４）を、葉身（８）内に同一平面並行と花弁（４）の元部を基点として、１２０度迄の範囲で傾斜させることをも可能とした混成立体造花。（図１８）（図２０）
【請求項４】
人工植物の広葉（１）の２枚に各々を弓状で上下反対方向に重ね、該広葉（１）表面から設置の人工植物の花（３）と、該広葉（１）裏面から設置の人工植物の花（３）で連結された混成立体造花（図１０）
【請求項５】
人工植物の広葉（１）の全側面鋸歯（２）部分に人工植物の花弁（４）と人工植物の針葉（５）を放射状に可能な枚数設置する。又当該花弁（４）と針葉（５）は人工植物の広葉（１）表面に対し、上下方向に１２０度の範囲で傾斜できることをも可能とした混成立体造花。（図２３）（図２４）
【請求項６】
人工植物の花（３）に人工植物の花弁（４）が、該花（３）の側面に対して上下左右各方向に直角から１２０度迄の範囲で挿通してなる混成立体造花。（図１１）
【請求項７】
人工植物の花（３）の花芯より、人工植物で左右に湾曲した２枚以上の広葉（１）が設置されている混成立体造花。（図１４）
【請求項８】
人工植物の花（３）の花弁先端部分に、人工植物の広葉（１）を継ぎ足してなる混成立体造花（図１５）と花（３）の花弁先端部分の２枚以上の広葉（１）間を山形状の広葉（１）で連結し挿通してなる混成立体造花。（図１７）
【請求項９】
人工植物の花（３）の花弁全側面に人工植物の針葉（５）を上下階段状に複層数設置すると共に、該針葉（５）は花（３）の全側面に対して上下、左右各方向に１２０度迄の範囲で挿通してなる混成立体造花。（図２５）
【請求項１０】
人工植物の花弁（４）の表面に対して、人工植物の花弁（４）を挿通し該、挿通の花弁（４）は相手花弁側面に対して上下、左右各方向に１２０度迄の範囲で挿通してなる混成立体造花。（図１３）
【請求項１１】
人工植物の多数の花弁（４）表面から、人工植物の多数の広葉（１）を或いは、針葉（５）を設置又は挿通し花弁（４）の表面に対して左右、上下各方向に１２０度迄の範囲で挿通してなる混成立体造花。（図１６）（図１９）
【請求項１２】
人工植物で捩れた葉軸（９）の広葉（１）の全面に対して花（３）が左右、上下各方向に１２０度迄の範囲で挿通してなる混成立体造花。（図２１）
【請求項１３】
人工植物の花弁（４）を上下階段状に複層数設置し、該複層間に人工植物の花弁（４）を複数枚、各々の花弁（４）の表裏面に対して直角から左右方向に９０度迄の範囲で傾斜に設置してなる混成立体造花。（図２２）
【請求項１４】
人工植物の針葉（５）の先端、後端に花（３）を設置すると共に、該、針葉（５）に針葉（５）が針葉（５）と花弁（４）が各々設置又は挿通され、花弁（４）は針葉（５）の葉軸（９）に対して或る傾斜角で保持してなる混成立体造花。（図２６）（図２８）
【請求項１５】
人工植物のキノコ（７）の傘に人工植物の広葉（１）花（３）と花弁（４）及び針葉（５）をキノコ（７）の傘面に対して左右、上下各方面に９０度迄の範囲で傾斜に多数設置又は挿通可能とすると共に、柄（１０）にも広葉（１）或いは針葉（５）を柄（１０）の中心線に対して或る傾斜角で挿通してなる混成立体造花。（図３０）（図３１）（図３２）（図３３）
【請求項１６】
人工植物の大根（１１）に人工植物の茄子（１２）を設置又は挿通してなる混成立体造花。（図３４）と人工植物のトマト（１３）に人工植物のバナナ（１４）がトマト（１３）の外皮面に対して上下方向と円周方向に各々１２０度迄の範囲で傾斜に設置又挿通してなる混成立体造花。（図３５）（図３６）
【発明の詳細な説明】
【技術分野】
【０００１】本発明は人工植物で例えば広葉、針葉、花、花弁、キノコ、大根、茄子、トマト、バナナを用いて混成立体的に造花したものである。
【背景技術】
【０００２】従来、人工造花は多種にわたり市販されているが、人工植物を用いた混成立体造花は見当たらない。
【発明の開示】
【発明が解決しようとする課題】
【０００３】自然植物では、存在し難い混成組合せの人工植物で例えば広葉、針葉、花、花弁、キノコ、大根、茄子、トマト、バナナ等を用いた混成組合せ構成による立体造花を創りだすこと。
【課題を解決するための手段】
【０００４】本発明は人工植物で、例えば広葉、針葉、花、花弁、キノコ、大根、茄子、トマト、バナナの各々を相互に葉の表面又は針葉、花、花弁じたいとキノコの傘と柄に直角から或る角度内に傾斜させて設置又は挿通させてなる混成立体造を特長とする。【０００５】本発明は人工植物の広葉に対して人工植物の花弁を葉身内に平面並行に埋込み又は花弁元部を基点として上下方向の或る角度に設置してなる混成立体造花を特長とする。【０００６】本発明は人工植物の広葉に対して、葉の鋸歯に人工植物の花弁又は針葉を複数枚設置してなる混成立体造花を特長とする。【０００７】本発明は人工植物の花弁に広葉を継ぎ足し設置してなる混成立体植物を特長とする。［発明の効果］【０００８】本発明は混成人工植物の立体造花なので、自然植物では得られない外観による興味を持つことが出来ると共に、新しい観賞価値を提供できる。
【発明を実施するための最良の形態】
【０００９】人工植物の広葉、針葉、花、花弁、キノコ、大根、茄子、トマト、バナナ等を各々部品として造花に立体組み合わせると良い。
【実施例１】
【００１０】図１以下は外観図で本発明の１実施例である。図１、図２〜４、図６〜８は人工植物の広葉１と広葉１が葉表面及び裏面より設置又は挿通され葉軸９に対して或る角度迄の範囲で挿通している。
【実施例２】
【００１１】図５は人工植物広葉１の葉表面に人工植物、花３が挿通している。
【実施例３】
【００１２】広葉１表裏面に直角に段差Ｈなる広葉１が設置されている。一方下段の広葉は垂直の広葉に対して各々葉軸９に直交し設置してなる。
【実施例４】
【００１３】図９は広葉１が花３を中心位置として、上面から見て左右に或る角度開いている。
【実施例５】
【００１４】図１０は弓状の広葉１、２枚に挿通した花３を中心位置として、上下反対方向に重ねている。
【実施例６】
【００１５】図１１、図１２は人工植物の花３の全側面に広葉１と花弁４が挿通している。
【実施例７】
【００１６】図１３、図１６、図１９は人工植物の花弁４に、花弁４．広葉１、針葉５が挿通又は花弁４の表面に設置されている。
【実施例８】
【００１７】図１５は花３の先端部分に広葉１が複数枚を継ぎ足し設置されている。
【実施例９】
【００１８】図１８は広葉１の葉身８内に、花弁４が平面並行に埋め込み図２０は花弁４が広葉１の表面に対し或る角度で設置されている。
【実施例１０】
【００１９】図２２は花弁４に花弁４が上下段階状に複数設置されている。
【実施例１１】
【００２０】図２３、図２４は広葉１の葉の鋸歯２に花弁４又は針葉５が複数放射状に設置されている。
【実施例１２】
【００２１】図２５は花３の全側面に針葉５を上下段階状に複層数設置されている。
【実施例１３】
【００２２】図２６は針葉５に花弁４が設置又は挿通している。図２７は針葉５に直板状花弁６が設置されている。
【実施例１４】
【００２３】図２８、図２９は針葉５に針葉５が直角に挿通又は或る傾斜角で連結されていて、針葉５の先端、後端に花３が設置されている。
【実施例１５】
【００２４】図３０〜図３３はキノコ７の傘の上面及び柄１０に花３、花弁４、針葉５が直角又は或る角度で挿通、及び設置されている。
【実施例１６】
【００２５】図３５はトマトにバナナが１２０度の角度範囲で設置又は挿通している。図３６は図３５の上面図である。
【産業上の利用可能性】
【００２６】極く一般の造花製造技術で製造可能であり、造花以外の広告要素、雑貨、服飾等のデザインにも利用可能である。
【図面の簡単な説明】
【００２７】
【図１】広葉１と広葉１が挿通されている説明図である。［実施例１］
【図１１】花３に花弁４が挿通されている説明図である。［実施例６］
【図１８】広葉１に花弁４が埋め込まれ説明図である。  ［実施例９］
【図３６】トマト１３にバナナ１４が挿通されている上面図である。［実施例１６］
【符号の説明】
【００２８】１、広葉２、鋸歯３、花４、花弁５、針葉６、直板状花弁７、キノコ８、葉身９、葉軸１０、柄１１、大根１２、茄子１３、トマト１４、バナナ
【図１】
2006009225.tif 000002
【図２】
2006009225.tif 000003
【図３】
2006009225.tif 000004
【図４】
2006009225.tif 000005
【図５】
2006009225.tif 000006
【図６】
2006009225.tif 000007
【図７】
2006009225.tif 000008
【図８】
2006009225.tif 000009
【図９】
2006009225.tif 000010
【図１０】
2006009225.tif 000011
【図１１】
2006009225.tif 000012
【図１２】
2006009225.tif 000013
【図１３】
2006009225.tif 000014
【図１４】
2006009225.tif 000015
【図１５】
2006009225.tif 000016
【図１６】
2006009225.tif 000017
【図１７】
2006009225.tif 000018
【図１８】
2006009225.tif 000019
【図１９】
2006009225.tif 000020
【図２０】
2006009225.tif 000021
【図２１】
2006009225.tif 000022
【図２２】
2006009225.tif 000023
【図２３】
2006009225.tif 000024
【図２４】
2006009225.tif 000025
【図２５】
2006009225.tif 000026
【図２６】
2006009225.tif 000027
【図２７】
2006009225.tif 000028
【図２８】
2006009225.tif 000029
【図２９】
2006009225.tif 000030
【図３０】
2006009225.tif 000031
【図３１】
2006009225.tif 000032
【図３２】
2006009225.tif 000033
【図３３】
2006009225.tif 000034
【図３４】
2006009225.tif 000035
【図３５】
2006009225.tif 000036
【図３６】
2006009225.tif 000037
【手続補正書】
【提出日】平成16年9月7日(2004.9.7)
【手続補正１】
【補正対象書類名】明細書
【補正対象項目名】００２７
【補正方法】変更
【補正の内容】
【図１】  広葉１と広葉１が各々の葉軸９に対して直角で相互に挿通されている説明図である。【図２】  広葉１と広葉１が各々の葉軸９に平行して広葉面に相互に設置されている説明図である。【図３】  広葉１の葉表面に葉軸９に沿って湾曲した広葉１が設置されている。Ａ−Ａ断面は該、湾曲した広葉１の断面形状を示す。【図４】  広葉１と広葉１が相互に挿通し該広葉１のいずれかの先端に花３を設置されている説明図である。【図５】  広葉１の表面に花３が挿通されている説明図である。【図６】  広葉１の表裏面に各々広葉１が広葉面に対して或る傾斜角度で設置されている説明図である。【図７】  広葉１の表裏面にＨ寸法差を保った広葉１が広葉１の表面に直角に各々設置されていると共に設置されている側の広葉１の下部スペースにも広葉１が垂直に挿通されている説明図である。【図８】  広葉１の表面に広葉１が葉軸９に対して平行に設置され広葉１の裏面に広葉１が葉軸９に対して９０度の位相で捩れて設置されている状態をＢ−Ｂ矢視で示す説明図である。【図９】  Ｖ字形に設置された広葉１の頂点に花３が設置されている説明図である。【図１０】広葉１の２枚、各々が弓状に反対方向に中心で重なり合わせて、該中心部に花３が広葉１の表裏面の垂直方向に設置されている説明図である。【図１１】花３の側面に花弁４が挿通してなる説明図である。【図１２】花３の側面に広葉１が挿通している説明図である。【図１３】花弁４に花弁４が挿通している説明図である。【図１４】花３の中心部より弓状で左右に双曲状に成形された広葉１が設置されている説明図である。【図１５】花３の花弁４先端に複数の、広葉１が設置されている説明図である。【図１６】複数の花弁４に複数の広葉１が挿通又は設置されている説明図である。【図１７】花３の先端に或る上開きの傾斜角を持つ相対２枚の広葉１の表面から裏面に向って∧字形状の一対の広葉１が葉軸９に対して平行又は或る傾斜角で以って挿通している説明図である。【図１８】広葉１の表面に平行して花弁４が埋込みされている説明図である。【図１９】花弁４の表面から裏面に針葉５が挿通されている説明図である。【図２０】広葉１の表面に対して或る傾斜角を持つ花弁４が設置されている説明図である。斜線部は花弁４の想像の元位置である。【図２１】葉軸９が左右方向に捩れた広葉１の表面から裏面に複数の花３が挿通している説明図である。【図２２】複数の段階状花弁４の表面に複数の花弁４が垂直状態で設置されている説明図である。【図２３】広葉１の鋸歯全周面にほぼ直角に複数の花弁４が設置されている説明図である。【図２４】広葉１の鋸歯全周面にほぼ直角に同一元部を有する複数のＶ字形針葉５及び広葉１の表面にＶ字形の針葉５が挿通されている説明図である。【図２５】花３の全周側面部にＶ字形の複数針葉５が設置されている説明図である。【図２６】針葉５の端部に花３が針葉５の葉軸９に各々花弁４が或る角度で設置されている説明図である。【図２７】針葉５の葉軸９に直板状花弁６が設置されてい説明図である。【図２８】針葉５の先端に花３が設置されている針葉５が針葉５に挿通している説明図である。【図２９】図で見ることのできるように針葉５に対して垂直に挿通及びＶ字形状にその各々両端が接合されＶ字形状の針葉５の下端に花３が設置されている説明図である。【図３０】キノコ７の頭部斜面に花弁４が或る傾斜角度で設置されキノコ７の柄１０の中心部分に広葉１が挿通されている。【図３１】キノコ７の頭部斜面に花３が複数の針葉５が或る角度で設置されている説明図である。【図３２】キノコ７の頭部斜面に或る傾斜角度で広葉１が挿通され、又花３が挿通されると共に柄１０には柄１０に対して或る傾斜角度で針葉５が挿通されている説明図である。【図３３】キノコ７の頭部斜面にＸ字形状で複数の針葉５が挿通されている説明図である。【図３４】大根１１に茄子１２が大根１１の全周表面に設置されている説明図である。【図３５】バナナ１４がトマト１３の側周面に対して直角に設置され上下方向に１２０度の角度範囲に設置できることの説明図である。図３５の右側面としている。【図３６】図３５をＣ−Ｃ矢視方向から見た上面図である。バナナ１４がトマト１３の側周面に沿って１２０度の角度範囲に設置できることの説明図である。図３５の左側面としている。